(57)【特許請求の範囲】
【請求項１】
プラグ（１０）とレセプタクル（２０）がバヨネットロック式に結合されて、それぞれの中央コンタクト（１３）、（２３）が電気的に接続される同軸コネクタにおいて、
前記プラグ（１０）のプラグシェル（１１）は、その同軸ケーブル（１００）の結線側の外周にフランジ部（１１ｇ）とコ字形溝部（１１ｈ）を一体に有するとともに、前記コ字形溝部（１１ｈ）と一体に連なる外径のやや大なる筒状部（１１ｉ）および外周段差部（１１ｓ）を介しての外径のやや小なる筒状部（１１ｊ）を有し、
該プラグシェル（１１）における前記レセプタクル（２０）との結合部分の外周にガスケット（１４）が装着されるとともに、該ガスケット（１４）よりやや前記レセプタクル（２０）との結合部分側寄りの外周面に周設の凹溝部（１１ｆ）内にはＯリング（１５）が装着され、また、前記外径のやや大なる筒状部（１１ｉ）の外周面に周設の凹溝部（１１ｋ）内にはＯリング（２４）が装着され、
前記プラグシェル（１１）に外挿着されたフェルール（２５）は、前記プラグシェル（１１）の外周段差部（１１ｓ）と適応する内周段差部（２５ｂ）を有し、かつその端縁部が前記プラグシェル（１１）のコ字形溝部（１１ｈ）に嵌入される筒状部（２５ｃ）と、該筒状部（２５ｃ）と外周段差部（２５ｄ）を介して一体に連なる外径のやや小なる筒状部（２５ｅ）、該筒状部（２５ｅ）と外周段差部（２５ｆ）を介して一体に連なる前記筒状部（２５ｃ）と同外径の筒状部（２５ｊ）を有し、
前記筒状部（２５ｊ）の内周に周設の凹溝部（２５ａ）内にガスケット（２６）が装着され、前記レセプタクル（２０）のシェル（２１）の先端で前記ガスケット（１４）が押圧されて軸方向で密着するとともに、前記レセプタクルシェル（２１）の下面で前記Ｏリング（１５）が押圧されて径方向で密着して、結合部分の防水性能が得られるとともに、
前記フェルール（２５）の前記筒状部（２５ｃ）の端縁部が前記プラグシェル（１１）の前記コ字形溝部（１１ｈ）に嵌入されて、前記筒状部（２５ｃ）の下面で前記Ｏリング（２４）が押圧されるとともに、前記フェルール（２５）の前記筒状部（２５ｅ）と前記筒状部（２５ｊ）の外周面が圧着工具（２００）により押し潰されて、前記ガスケット（２６）が前記同軸ケーブル（１００）の外皮（１０１）に径方向で密着するとともに、前記プラグシェル（１１）の前記筒状部（１１ｊ）に外挿着のシールド線（１０２）が前記フェルール（２５）とで挟圧着されて、前記同軸ケーブル（１００）の外皮部分と前記シールド線（１０２）の先端部分の防水性能が得られる構成を特徴とする防水型同軸コネクタ。
【発明の詳細な説明】
【０００１】
【発明の属する技術分野】
本発明は、防水型同軸コネクタに関し、更に詳しくは、着脱性に優れたバヨネットロック式同軸コネクタであるＪＩＳおよびＭＩＬ規格品のＢＮＣ形コネクタのプラグ側の構造を一部変更し、従来の結合部寸法を持ったレセプタクルとの組み合わせでも防水性能を満足できる着脱性と防水性を兼ね備えた同軸コネクタに関するものである。
【０００２】
【従来の技術】
バヨネットロック式同軸コネクタ（ＢＮＣ形コネクタ）は、着脱性に優れ、汎用コネクタとして、結合・離脱の多い装置に多用されている。構造としては、プラグとレセプタクルとの結合部は、プラグに外挿着された接続リングのキー溝部をレセプタクルの突起部（スタッド）に合わせて挿入し、かつ接続リングをその係合切欠部を介して９０度回動させることにより結合するようになっており、プラグ結合部分およびケーブル導入部分にはガスケットが装着されていて、簡単な防滴構造がとれるようになっている。
【０００３】
【発明が解決しようとする課題】
しかしながら、この従来の同軸コネクタにあっては、プラグに装着のガスケットがレセプタクルのシェル端面で軸方向に押し付けられて結合しているため、ケーブルに引張力が加わると、レセプタクルのシェル端面とガスケットとの間に隙間が生じて防滴性が不完全になるという問題点があり、また、ケーブル結線後、コネクタ結合部からケーブル接続部分までの全体に亘って自己融着テープを巻き付ける等して防水処置を行っているために、手間と時間がかかって作業性に劣るという問題点があった。
【０００４】
本発明は、このような従来の技術が有する問題点に鑑みなされたもので、その目的とするところは、着脱性に優れたバヨネットロック式同軸コネクタ（ＢＮＣ形コネクタ）のプラグ側の構造を一部変更し、従来の結合部寸法を持ったレセプタクルとの組み合わせでも防水性能を満足できる着脱性と防水性を兼ね備えた防水型同軸コネクタを提供することにある。
【０００５】
【課題を解決するための手段】
この目的のため、本願の請求項１に係る発明は、プラグ１０とレセプタクル２０がバヨネットロック式に結合されて、それぞれの中央コンタクト１３、２３が電気的に接続される同軸コネクタにおいて、
前記プラグ１０のプラグシェル１１は、その同軸ケーブル１００の結線側の外周にフランジ部１１ｇとコ字形溝部１１ｈを一体に有するとともに、前記コ字形溝部１１ｈと一体に連なる外径のやや大なる筒状部１１ｉおよび外周段差部１１ｓを介しての外径のやや小なる筒状部１１ｊを有し、
該プラグシェル１１における前記レセプタクル２０との結合部分の外周にガスケット１４が装着されるとともに、該ガスケット１４よりやや前記レセプタクル２０との結合部分側寄りの外周面に周設の凹溝部１１ｆ内にはＯリング１５が装着され、また、前記外径のやや大なる筒状部１１ｉの外周面に周設の凹溝部１１ｋ内にはＯリング２４が装着され、
前記プラグシェル１１に外挿着されたフェルール２５は、前記プラグシェルの外周段差部１１ｓと適応する内周段差部２５ｂを有し、かつその端縁部が前記プラグシェル１１のコ字形溝部１１ｈに嵌入される筒状部２５ｃと、該筒状部２５ｃと外周段差部２５ｄを介して一体に連なる外径のやや小なる筒状部２５ｅ、該筒状部２５ｅと外周段差部２５ｆを介して一体に連なる前記筒状部２５ｃと同外径の筒状部２５ｊを有し、
前記筒状部２５ｊの内周に周設の凹溝部２５ａ内にガスケット２６が装着され、前記レセプタクル（２０）のシェル２１の先端で前記ガスケット１４が押圧されて軸方向で密着するとともに、前記レセプタクルシェル２１の下面で前記Ｏリング１５が押圧されて径方向で密着して、結合部分の防水性能が得られるとともに、
前記フェルール２５の前記筒状部２５ｃの端縁部が前記プラグシェル１１の前記コ字形溝部１１ｈに嵌入されて、前記筒状部２５ｃの下面で前記Ｏリング２４が押圧されるとともに、前記フェルール２５の前記筒状部２５ｅと前記筒状部２５ｊの外周面が圧着工具２００により押し潰されて、前記ガスケット２６が前記同軸ケーブル１００の外皮１０１に径方向で密着するとともに、前記プラグシェル１１の前記筒状部１１ｊに外挿着のシールド線１０２が前記フェルール２５とで挟圧着されて、前記同軸ケーブル１００の外皮部分と前記シールド線１０２の先端部分の防水性能が得られる構成を特徴とするものである。
【００１０】
【発明の実施の形態】
本発明の実施の形態について図面を参照し、その作用と共に説明する。図１は、本防水型同軸コネクタにおけるプラグの一例を示す半断面図、図２は、レセプタクルの半断面図で、本コネクタは、このプラグとレセプタクルをもって構成され、両者は、図３に示されているように、バヨネットロック式に結合されて使用される。
【００１１】
本発明の第１の実施例によるプラグ１０は、図１に示されているように、円筒状のシェル１１を備えている。シェル１１は、その外周部にＬ形段差部１１ａと環状のフランジ部１１ｂを一体に有するとともに、該フランジ部１１ｂと一体に連なる筒状部１１ｃの先端部には、複数の軸方向割溝１１ｄを介して円筒形手指状片１１ｅを有している。また、シェル１１内の軸方向中心部位には、その手指状片１１ｅ側より圧入固装の絶縁物１２を介して中心コンタクト１３が固装されるとともに、シェル１１の外周部には、その手指状片１１ｅ側においてフランジ部１１ｂに当接させてガスケット１４が装着され、また、ガスケット１４よりもやや手指状片１１ｅ側寄りにおける筒状部１１ｃの外周面には凹溝部１１ｆが周設されて、該凹溝部１１ｆ内にＯリング１５が装着されている。
【００１２】
また、シェル１１の外周には、Ｌ形段差部１１ａとフランジ部１１ｂ間に介装の割りワッシャ１６およびスプリングワッシャ１７を介して、結合側開口端面の軸方向２個所にキー溝部１８ａと、該キー溝部１８ａとそれぞれ連なる係合切欠部１８ｂを外周面に有する接続リング１８が回動自在に挿着されている。
【００１３】
レセプタクル２０は、図２に示されているように、外周部に突起部（スタッド）２１ａを有する円筒状のシェル２１と、該シェル２１内に圧入固装の絶縁物２２と、該絶縁物２２内の軸方向中心部位に固装のスリ割り付中心コンタクト２３を備え、該レセプタクル２０は、公知のバヨネットロック式同軸コネクタであるＪＩＳおよびＭＩＬ規格品のＢＮＣ形コネクタにおけるレセプタクルと同等の嵌合寸法を持った構造である。
【００１４】
このように構成された第１の実施例に係るコネクタは、図３に示されているように、プラグ１０とレセプタクル２０とが嵌合されて同軸ケーブルの接続がなされる。この際、プラグ１０における接続リング１８の２個所のキー溝部１８ａがそれぞれレセプタクル２０の突起部（スタッド）２１ａに合わせられ、かつプラグ１０の中心コンタクト１３がレセプタクル２０の中心コンタクト２３内に電気的接触を保って挿入され、接続リング１８がそれぞれの係合切欠部１８ｂと突起（スタッド）２１ａとの係合を介して９０度回動せられ、プラグ１０とレセプタクル２０はバヨネットロック式に結合される。レセプタクル２０のシェル２１はその下面がプラグ１０のＯリング１５に密着し、かつシェル２１の先端がプラグ１０のガスケット１４に圧接した状態で挿入される。
【００１５】
本実施例によると、プラグ１０とレセプタクル２０との着脱は、バヨネットロック式構造であるので、着脱性に優れて同軸ケーブルの接続作業を簡単にして、かつ迅速に行い得るとともに、コネクタ結合部においては、レセプタクルシェル２１の先端でガスケット１４が押圧されて軸方向で密着し、レセプタクルシェル２１の下面でＯリング１５が押圧されて径方向で密着するので、ケーブルに引張力が加わってもガスケット１４とＯリング１５との相乗作用によって高い防水効果が得られる。
【００１６】
次に、本発明の第２乃至第５の実施例について説明する。これら実施例は、第１の実施例におけるプラグ１０のケーブル結線側に防水手段が施され、プラグ１０とレセプタクル２０との結合部分の防水性能と併せケーブル結線側の防水性能をも得られるようにしたものである。
【００１７】
以下、第２乃至第５の実施例の説明においては、ケーブル結線側の構成要素の説明に止め、レセプタクル結合部分の構成要素については、図１との対応部分に同一符号を附し、説明は省略する。
【００１８】
第２の実施例は、図４に示されているように、プラグシェル１１における同軸ケーブル１００の結線側の外周にフランジ部１１ｇとコ字形溝部１１ｈを一体に有するとともに、コ字形溝部１１ｈと一体に連なる外径のやや大なる筒状部１１ｉおよび外周段差部１１ｓを介して外径のやや小なる筒状部１１ｊを有し、筒状部１１ｃの外周に周設の凹溝部１１ｆにはＯリング１５が装着されるとともに、筒状部１１ｉの外周に周設の凹溝部１１ｋにはＯリング２４が装着されている。そして、前記したように、シェル２１の先端でガスケット１４が押圧されて軸方向で密着するとともに、レセプタクルシェル２１の下面でＯリング１５が押圧されて径方向で密着して、結合部分の防水性能が得られるようになっている。
【００１９】
プラグシェル１１に外挿着されたフェルール２５は、プラグシェルの外周段差部１１ｓと適応する内周段差部２５ｂを有し、かつその端縁部がプラグシェル１１のコ字形溝部１１ｈに嵌入される筒状部２５ｃと、該筒状部２５ｃと外周段差部２５ｄを介して一体に連なる外径のやや小なる筒状部２５ｅ、該筒状部２５ｅと外周段差部２５ｆを介して一体に連なる筒状部２５ｃと同外径の筒状部２５ｊを有し、
筒状部２５ｊの内周に周設の凹溝部２５ａ内にはガスケット２６が装着されている。そして、フェルール２５の筒状部２５ｃの端縁部がプラグシェル１１のコ字形溝部１１ｈに嵌入されて、筒状部２５ｃの下面でＯリング２４が押圧されるとともに、フェルール２５の筒状部２５ｅと筒状部２５ｊの外周面が圧着工具２００により均等に押し潰されると、筒状部２５ｃは変形することなく、コ字形溝部１１ｈに嵌入された端縁部と、プラグシェル１１の外周段差部１１ｓと適合するフェルール２５の内周段差部２５ｂでＯリング２４は強く押圧されて径方向で密着し、また、ガスケット２６も同軸ケーブル１００の外皮１０１の径方向に食いこみ密着し、同時にプラグシェル１１の筒状部１１ｊに外挿着のシールド線１０２がフェルール２５とで挟圧着されて、同軸ケーブル１００の外皮部分とシールド線１０２の先端部分の防水性能が得られるようになっている。
【００２０】
第３の実施例は、図５に示されているように、第２の実施例におけるＯリング２４に代えてガスケットを装着したものである。更に説明すると、プラグシェル１１の筒状部１１ｊの外周面に凹溝部１１ｌが周設され、該凹溝部１１ｌ内にガスケット２７が装着され、これら２個所のガスケット２６、２７がシールド線１０２と共に圧着工具２００によりフェルール２５の外周面から均等に押し潰されて取り付けられ、これら２個所のガスケット２６、２７によりケーブル結線側の防水性能が得られる。
【００２１】
第４の実施例は、図６に示されているように、プラグシェル１１のケーブル結線側のネジ穴１１ｍ内にガスケット２８がワッシャ２９、クランプ３０を介して装着され、該ガスケット２８がネジ穴１１ｍに螺合の締付ナット３１の端面によるワッシャ２９を介しての軸方向への締め付けにより、ガスケット２８はクランプ３０との間で圧縮変形して、その圧縮力は軸方向と半径方向に働いて、シールド線１０２はクランプ３０とシェル１１との挟着により一体的に強固に接続されるとともに、ガスケット２８の圧縮変形によってケーブル結線側の防水性能が得られる。
【００２２】
第５の実施例は、図７に示されているように、プラグシェル１１のケーブル結線側外周に、レセプタクル結合側より変形略Ｖ形溝部１１ｎとフランジ部１１ｏ、コ字形溝部１１ｐ、筒状部１１ｑをそれぞれ一体に有し、同軸ケーブル１００のシールド線１０２が、その先端をシェルのコ字形溝部１１ｐに嵌入してケーブル外皮１０１に外挿着されたフェルール２５とシェル筒状部１１ｑとにより圧着されて取り付けられるとともに、接着剤付収縮チューブ３２がケーブル外皮１０１の一部分からフェルール２５とシェルフランジ部１１ｏを完全に覆って変形略Ｖ形溝部１１ｎまでに亘り被覆され、シールド線先端部分からの浸水とケーブル外皮１０１の部分からの浸水がそれぞれ阻止されて、ケーブル結線側の防水性能が得られる。
【００２３】
【発明の効果】
しかして、本発明によれば、着脱性に優れたバヨネットロック式同軸コネクタ（ＢＮＣ形コネクタ）のプラグ側の構造を一部変更し、従来の結合部寸法を持ったレセプタクルとの組み合わせでもコネクタ結合部およびケーブル結線側部の防水性能を十分に満足できる高い着脱性と防水性を兼ね備えた同軸コネクタとすることができる。
【図面の簡単な説明】
【図１】本発明に係る防水型同軸コネクタにおけるプラグの一例での半断面図である。
【図２】本発明に係る防水型同軸コネクタにおけるプラグと結合されるレセプタクルの半断面図である。
【図３】図１に示されたプラグと図２に示されたレセプタクルとの結合状態を示す半断面図である。
【図４】本発明の第２の実施例を示す半断面図である。
【図５】本発明の第３の実施例を示す半断面図である。
【図６】本発明の第４の実施例を示す半断面図である。
【図７】本発明の第５の実施例を示す半断面図である。
【符号の説明】
１０    プラグ
１１    プラグシェル
１１ｆ、１１ｋ    凹溝部
１３、２３    中心コンタクト
１４、２６、２７、２８    ガスケット
１５、２４    Ｏリング
２５    フェルール
２５ａ    凹溝部
３１    締付ナット
３２    接着剤付収縮チューブ
１００    同軸ケーブル
１０１    ケーブル外皮
１０２    シールド線
【図１】
0004473367.tif 000002
【図２】
0004473367.tif 000003
【図３】
0004473367.tif 000004
【図４】
0004473367.tif 000005
【図５】
0004473367.tif 000006
【図６】
0004473367.tif 000007
【図７】
0004473367.tif 000008